(57)【特許請求の範囲】
【請求項１】
実験台上に複数本の縦杆と横杆とを格子状に組み合わせてその交差部を挟持金具によって挟持、固定させることにより連結一体化してなる理化学用枠体であって、上記縦杆及び横杆は断面正方形の角棒状に形成されてあり、これらの縦杆と横杆とをその任意の稜角部を正面に向けた状態にして格子状に組み合わせている一方、上記挟持金具は、直角に屈折した断面く字状の挟持溝を有する垂直挟持部と水平挟持部とを背中合わせにして一体化していると共にこれらの垂直挟持部と水平挟持部とのそれぞれの挟持溝の溝底に向かって進退自在な螺子棒を備えてなり、上記縦杆における正面に向けている上記稜角部を中央にして互いに直角に連なった両面を上記挟持金具における上記垂直挟持部の挟持溝に面接触状態で受止させると共に、上記横杆における背面に向けている稜角部を中央にして互いに直角に連なった両面をこの挟持金具における上記水平挟持部の挟持溝に面接触状態で受止させた状態にして、上記螺子棒の先端を上記縦杆及び横杆における上記挟持金具の挟持溝に面した稜角部とは反対側の稜角部に夫々押し付けることにより、縦杆と横杆との交差部を一体に挟着、固定していることを特徴とする理化学用枠体。
【発明の詳細な説明】
【０００１】
【発明の属する技術分野】
本発明は、実験台上に配設され且つ器具取付金具を安定的に取り付けることができる理化学用枠体に関する。
【０００２】
【従来の技術】
従来から理化学用実験台上には理化学用枠体が配設されており、この理化学用枠体は、円柱状の縦杆と横杆とを格子状に組み合わせるとともに、上記縦杆と上記横杆とをそれらの交差部分において挟持金具を用いて連結一体化することによって組み立てられている。
【０００３】
詳細には、上記挟持金具Ａは、図６、図７に示すように、断面く字状の挟持溝A11 、A21 を夫々有する垂直挟持部A1と水平挟持部A2とを背中合わせにして一体化していると共にこれらの垂直挟持部A1と水平挟持部A2とのそれぞれの挟持溝A11 、A21 に向かって進退自在な螺子棒A12 、A22 を備えてなり、この挟持金具Ａを上記円柱状の縦杆Ｄと横杆Ｅとの各交差部に配設してその垂直挟持部A1の挟持溝A11 に縦杆Ｄを、水平挟持部A2の挟持溝A21 に横杆Ｅを夫々受け入れた状態にしたのち、螺子棒A12 、A22 を螺進させてその先端部を縦杆Ｄと横杆Ｅに当接させることにより縦杆Ｄと横杆Ｅを交差した状態で連結一体化し、格子状の理化学用枠体を組立てている。
【０００４】
そして、この格子状に組立てられた理化学用枠体に実験器具支持具Ｃを支持させる場合、上記挟持金具Ｂと同一構造の器具取付金具Ｂを用いて、その垂直挟持部B1と水平挟持部B2とのいずれか一方の挟持部の挟持溝と螺子棒とによって円柱状の縦杆Ｄ又は横杆Ｅの適所にこの器具取付金具Ｂを固定し、他方の挟持部の挟持溝と螺子棒とによって上記実験器具支持具Ｃを挟持、固定させたのち、この実験器具支持具Ｃの先端部に実験器具を支持させて実験台上に実験装置を配設し種々の実験を行っている。
【０００５】
しかしながら、従来の理化学用枠体の縦杆Ｄ及び横杆Ｅは円柱状に形成されていることから、例えば、図６及び図８に示したように、器具取付金具Ｂをその水平挟持部B2に横杆Ｅを挟持させることによって該横杆Ｅに固定させた場合において、器具取付金具Ｂに支持させた実験器具支持具Ｃの先端部に配設した実験器具の重さが重いときや、器具取付金具Ｂの水平挟持部B2における上記横杆Ｅへの挟持、固定が不十分であるときには、上記器具取付金具Ｂの挟持用螺子棒B12 の先端面が上記理化学用枠体の横杆Ｅの凸円弧状面に沿って滑動して、上記器具取付金具Ｂが上記横杆Ｅを中心にして下方に不測に回動、変位し、この器具取付金具Ｂの回動に伴って該器具取付金具Ｂに支持させた実験器具支持具Ｃの先端部に配設した実験器具の位置が変位して実験器具相互間の相対位置が変化し実験器具が破損したり、或いは、実験器具内に入れた化学薬品が不測にこぼれるといった問題点があった。
【０００６】
又、図７及び図９に示したように、上記器具取付金具Ｂをその垂直挟持部B1を利用して縦杆Ｄに挟持、固定させている場合には、器具取付金具Ｂに支持させた実験器具支持具Ｃに不測に接触した際、上記器具取付金具Ｂの上記縦杆Ｄへの挟持、固定が不十分であるときには、上記と同様に、上記器具取付金具Ｂの挟持用螺子棒B12 の先端面が上記理化学用枠体の縦杆Ｄの凸円弧状面に沿って滑動して、上記器具取付金具Ｂが上記縦杆Ｄを中心にして水平方向に不測に回動、変位し、この器具取付金具Ｂの回動に伴って該器具取付金具Ｂに支持させた実験器具支持具Ｃの先端部に配設した実験器具の位置が変位して実験器具相互間の相対位置が変化し実験器具が破損したりするといった問題点があった。
【０００７】
【発明が解決しようとする課題】
本発明は、器具取付金具を安定した状態に支持させて、この器具取付金具に取り付けた実験器具支持具を介して実験器具を安定的に支持することができる理化学用枠体を提供する。
【０００８】
【課題を解決するための手段】
本発明の理化学用枠体は、実験台上に複数本の縦杆と横杆とを格子状に組み合わせてその交差部を挟持金具によって挟持、固定させることにより連結一体化してなる理化学用枠体であって、上記縦杆及び横杆は断面正方形の角棒状に形成されてあり、これらの縦杆と横杆とをその任意の稜角部を正面に向けた状態にして格子状に組み合わせている一方、上記挟持金具は、直角に屈折した断面く字状の挟持溝を有する垂直挟持部と水平挟持部とを背中合わせにして一体化していると共にこれらの垂直挟持部と水平挟持部とのそれぞれの挟持溝の溝底に向かって進退自在な螺子棒を備えてなり、上記縦杆における正面に向けている上記稜角部を中央にして互いに直角に連なった両面を上記挟持金具における上記垂直挟持部の挟持溝に面接触状態で受止させると共に、上記横杆における背面に向けている稜角部を中央にして互いに直角に連なった両面をこの挟持金具における上記水平挟持部の挟持溝に面接触状態で受止させた状態にして、上記螺子棒の先端を上記縦杆及び横杆における上記挟持金具の挟持溝に面した稜角部とは反対側の稜角部に夫々押し付けることにより、縦杆と横杆との交差部を一体に挟着、固定していることを特徴とする。
【０００９】
【作用】
本発明の理化学用枠体は、これを構成する縦杆及び横杆が角棒状に形成されていることから、器具取付金具の挟持部のく字状挟持溝の両側傾斜面を上記理化学用枠体の縦杆又は横杆の一つの稜角部を中央にしてその両側方に連なった平坦面に面接触状に当接させた状態にして上記器具取付金具の挟持部を上記理化学用枠体の縦杆又は横杆に挟持、固定すると、上記器具取付金具の挟持溝の両側傾斜面と上記理化学用枠体の縦杆又は横杆との平坦面とが強固に係止して上記器具取付金具が上記理化学用枠体の縦杆又は横杆回りに不測に回動するのを確実に防止することができ、従って、実験器具の位置が不測に変位したり実験器具が破損したりすることはない。
【００１０】
【発明の実施の形態】
本発明の理化学用枠体の一例を図面を参照しつつ説明する。図１及び図２に示したように、理化学用枠体１は、断面正方形状で一定長さを有する角棒材からなる複数本の縦杆11及び横杆12を任意の稜角部111 、121 が正面に指向した状態にして格子状に組み合わせるとともに、上記縦杆11と上記横杆12との交差部分に挟持金具Ａを配設して上記縦杆11と上記横杆12とを上記挟持金具Ａを介して連結一体化させることによって構成されている。なお、上記理化学用枠体１における縦杆11のうちの少なくとも一本、横杆12のうちの少なくとも一本が角棒状であればよい。
【００１１】
又、上記挟持金具Ａは、直角に屈折した断面く字状の挟持溝A11 、A21 をそれぞれ有する一定長さの一対の挟持部A1、A2と、これらの挟持部A1、A2の上記挟持溝A11 、A21 に対して夫々進退自在な挟持用螺子棒A12 、A22 とからなり、上記断面く字状の挟持部A1、A2は、一方の挟持部A1を水平方向に向け、他方の挟持部A2を垂直方向に向けた状態で背中合わせにして一体的に固着している。
【００１２】
そして、これらの挟持部A1、A2の一側端部に起立片A31 、A32 を突設するとともに、該起立片A31 、A32 の先端に上記挟持溝A11 、A21 に対向した螺子取付片A41 、42を一体に設けてあり、この螺子取付片A41 、A42 の中央螺子孔A411、A421に上記挟持用螺子棒A12、A22 を挿通させて、その先端をく字状に屈折してなる上記挟持溝A11 、A21 の溝底に向けている。
【００１３】
このように構成している挟持金具Ａの一方、即ち、垂直挟持部A1に上記縦杆11を、他方、即ち、水平挟持部A2に上記横杆12を夫々挟持、固定させることによって上記縦杆11及び上記横杆12を格子状に組み合わせて連結一体化されて形成されている。
【００１４】
詳細には、上記挟持金具Ａの垂直挟持部A1におけるく字状挟持溝A11 の両側傾斜面に上記縦杆11における直角に連なった面112 、112 を面接触状に当接、受止させた状態に配設した後、挟持用螺子棒A12 を螺進させて上記縦杆11の背面に向けている稜角部111 に圧接させることによって、上記く字状挟持溝A11 の両側傾斜面と上記挟持用螺子棒A12 とにより上記縦杆11を挟持して該縦杆11を上記挟持金具Ａの垂直挟持部A1に安定的に固定させている。
【００１５】
同様に、上記挟持金具Ａの水平挟持部A2におけるく字状挟持溝A21 の両側傾斜面に上記横杆12における直角に連なった面122 、122 を面接触状に当接、受止させた状態に配設した後、挟持用螺子棒A22 を螺進させて上記横杆12の正面に向けている稜角部121 に圧接させることによって、上記く字状挟持溝A21 の両側傾斜面と上記挟持用螺子棒A22 とにより上記横杆12を挟持して該横杆12を上記挟持金具Ａの水平挟持部A2に安定的に固定させている。
【００１６】
そして、実験台Ｆ上には二本の支持杆Ｇ、Ｇが水平方向に一定間隔を存して垂直方向に起立した状態に配設されており、この支持杆Ｇ、Ｇに、上記挟持金具Ａを用いてこの挟持金具Ａにより格子状に組み立てられた上記縦杆11及び上記横杆12における横杆12の両端部を上記同様に挟着、支持させることによって、上記複数本の縦杆11と横杆12とを格子状に組み立てることにより形成された理化学用枠体１が上記実験台Ｆ上に安定した状態に配設されている。
【００１７】
次に、上記理化学用枠体１の使用要領について説明する。始めに、上記理化学用枠体１の縦杆11に器具取付金具Ｂを固着し、この器具取付金具Ｂに取り付けた実験器具支持具Ｃに実験器具Ｈを支持させ、実験器具Ｈを実験台Ｆ上に配設する要領について説明する。
【００１８】
なお、上記器具取付金具Ｂは上記挟持金具Ａと同一構造を有するものであり、具体的には、略直角に屈折した断面く字状の一対の挟持部B1、B2と、これらの挟持部B1、B2の挟持溝B11 、B21 に対して夫々進退自在な挟持用螺子棒B12 、B22 とからなり、上記断面く字状の挟持部B1、B2は、互いに９０・に交差してねじれの方向に指向し且つ背中合わせ状に連結されている。
【００１９】
そして、これらの挟持部B1、B2の一側端部に起立片B31 、B32 を突設するとともに、該起立片B31 、B32 の先端に上記挟持溝B11 、B21 に対向した螺子取付片B41 、B42 を一体に設けてあり、この螺子取付片B41 、B42 の中央螺子孔B411、B421に上記挟持用螺子棒B12 、B22 を挿通させて、その先端をく字状に屈折してなる上記挟持溝B11 、B21 に向けている。
【００２０】
そして、実験器具支持具Ｃも、従来から用いられている実験器具支持具Ｃが用いられ、具体的には、例えば、一定長さを有する断面円形状の棒状体からなる支持棒C1とこの支持棒C1の先端部に一体的に設けられた実験器具Ｈを挟持する器具挟持部C2とからなる。
【００２１】
先ず、図１及び図３に示したように、上記器具取付金具Ｂにおける垂直方向に向いた一方の挟持部B1におけるく字状挟持溝B11 の両側傾斜面に上記縦杆11における直角に連なった面112 、112 を面接触状に当接、受止させた状態に配設した後、挟持用螺子棒B12 を螺進させて上記縦杆11の側方を向いている稜角部113 に圧接させることによって、上記く字状挟持溝B11 と上記挟持用螺子棒B12 とにより上記縦杆11を挟持して上記器具取付金具Ｂを上記縦杆11の所望位置に安定的に取り付ける。
【００２２】
そして、上記器具取付金具Ｂにおける水平方向に向いた他方の挟持部B2に実験器具支持具Ｃの支持棒C1を挟持、固定させて、上記実験器具支持具Ｃをその器具挟持部C2が前方に突出した状態に安定的に配設する。上記要領を繰り返して、同じ縦杆11に二つの実験器具支持具Ｃ、Ｃの器具挟持部C2、C2が上下方向に所定間隔を存して前方に突出した状態とする。
【００２３】
しかる後、上記上側の実験器具支持具Ｃの器具挟持部C2に例えばコンデンサーH1を挟持、取付けるとともに、上記下側の実験器具支持具Ｃの器具挟持部C2に例えば丸底フラスコH2を挟持、取り付け、上記コンデンサーH1の下端部を上記丸底フラスコH2の上端開口部内に挿入、固定させることによって実験台Ｆ上に実験装置を配設する。
【００２４】
この状態においては、図３に示したように、上記器具取付金具Ｂの一方の挟持部B1と上記理化学用枠体１の縦杆11とは、上記垂直挟持部B1のく字状挟持溝B11 の両側傾斜面と上記縦杆11の稜角部114 に連なる両側平坦面112 、112 とが合致した係止状態となっているので、上記実験器具H1、H2にたとえ手などが接触した場合にあっても、上記器具取付金具Ｂは上記縦杆11回りに不測に回動したりすることはなく、その取付状態を確実に維持し、よって、上記器具取付金具Ｂに取り付けた実験器具支持具Ｃの器具挟持部C2に挟持、支持した実験器具はその配設位置を確実に維持し、例えば、上記コンデンサーH1と上記丸底フラスコH2との相対位置が変化して、上記コンデンサーH1と上記丸底フラスコH2との接続部分において上記丸底フラスコH2や上記コンデンサーH1が不測に破損するといったことはない。
【００２５】
しかも、上記器具取付金具Ｂは、その垂直方向に向いて挟持部B1のく字状挟持溝B11 の両側傾斜面を上記縦杆11の稜角部114 に連なる両外周平面112 、112 に当接、受止させた状態に上記縦杆11に取付けられていることから、上記器具取付金具Ｂは上記縦杆11に対して所定の角度に自動的に位置決めされ、従って、上記縦杆11に取り付けられる上記器具取付金具Ｂの他方の挟持部B2は常に一定方向を指向しており、上記縦杆11に複数個の器具取付金具Ｂを取付けた場合には、これら全ての器具取付金具Ｂの他方の挟持部B2（実験器具支持具を取り付ける挟持部）は全て同一方向に指向する。よって、図１のように、複数個の実験器具Ｈ、Ｈ・・・を上下方向に配設する場合にあっても自動的に上下方向の実験器具Ｈ、Ｈ・・・の位置決めを行うことができ、実験器具Ｈ、Ｈ同士を簡単に且つ確実に接続することができる。
【００２６】
次に、上記理化学用枠体１の横杆12に器具取付金具Ｂを固着し、この器具取付金具Ｂに取り付けた実験器具支持具Ｃに実験器具Ｈを支持させ、実験器具Ｈを実験台Ｆ上に配設する要領について説明する。
【００２７】
先ず、図４及び図５に示したように、上記器具取付金具Ｂにおける水平方向に向いた一方の挟持部B1におけるく字状挟持溝B11 の両側傾斜面に上記横杆12における直角に連なった面122 、122 を面接触状に当接、受止させた状態に配設した後、挟持用螺子棒B12 を螺進させて上記横杆12の上方を向いている稜角部123 に圧接させることによって、上記く字状挟持溝B11 と上記挟持用螺子棒B12 とにより上記横杆12を挟持して上記器具取付金具Ｂを上記横杆12の所望位置に安定的に取り付ける。
【００２８】
そして、上記器具取付金具Ｂにおける水平方向に向いた他方の挟持部B2に実験器具支持具Ｃの支持棒C1を挟持、固定させて、上記実験器具支持具Ｃをその器具挟持部C2が前方に突出した状態に安定的に配設する。しかる後、上記上側の実験器具支持具Ｃの器具挟持部C2に実験器具H3、例えば丸底フラスコを挟持、取り付けて実験台Ｆ上に実験装置を配設する。
【００２９】
この状態においては、図５に示したように、上記器具取付金具Ｂの一方の挟持部B1と上記理化学用枠体１の横杆12とは、上記挟持部B1のく字状挟持溝B11 の両側傾斜面と上記横杆11の稜角部124 に連なる両側平坦面122 、122 とが合致した係止状態となっているので、上記実験器具H3の重量が重かったり或いは上記実験器具H3に手などが接触した場合にあっても、上記器具取付金具Ｂは上記横杆12回りに不測に回動したりすることはなく、その取付状態を確実に維持し、よって、上記器具取付金具Ｂに取り付けた実験器具支持具Ｃの器具挟持部C2に挟持、支持した実験器具H3はその配設位置を確実に維持する。
【００３０】
【発明の効果】
請求項１に記載の理化学用枠体は、実験台上に複数本の縦杆と横杆とを格子状に組み合わせてその交差部を挟持金具によって挟持、固定させることにより連結一体化してなる理化学用枠体において、上記縦杆及び上記横杆は断面正方形の角棒状に形成されているので、従来から用いられている器具取付金具をその挟持部のく字状挟持溝の両側傾斜面が上記縦杆又は上記横杆における任意の稜角部に連なる両側平坦面に合致した状態に上記縦杆又は上記横杆に取り付けることにより、上記器具取付金具が上記縦杆又は上記横杆回りに不測に回動するのを確実に防止することができ、よって、上記理化学用枠体によれば、実験台上に正確且つ確実に実験器具を配設して実験装置を組んで実験を行うことができる。
【００３１】
さらに、本発明の理化学用枠体によれば、上記縦杆と横杆とをその任意の稜角部を正面に向けた状態にして格子状に組み合わせている一方、上記挟持金具は、直角に屈折した断面く字状の挟持溝を有する垂直挟持部と水平挟持部とを背中合わせにして一体化していると共にこれらの垂直挟持部と水平挟持部とのそれぞれの挟持溝の溝底に向かって進退自在な螺子棒を備えてなり、上記縦杆における正面に向けている上記稜角部を中央にして互いに直角に連なった両面を上記挟持金具における上記垂直挟持部の挟持溝に面接触状態で受止させると共に、上記横杆における背面に向けている稜角部を中央にして互いに直角に連なった両面をこの挟持金具における上記水平挟持部の挟持溝に面接触状態で受止させた状態にして、上記螺子棒の先端を上記縦杆及び横杆における上記挟持金具の挟持溝に面した稜角部とは反対側の稜角部に夫々押し付けることにより、縦杆と横杆との交差部を一体に挟着、固定しているので、縦杆及び横杆をそれぞれ挟持金具の垂直挟持部と水平挟持部に安定的に固定させることができると共に、器具取付金具を上記縦杆又は上記横杆に取り付ける際、上記器具取付金具における挟持部のく字状挟持溝の両側傾斜面を上記縦杆又は上記横杆の任意の稜角部から互いに直角に連なる両側平坦面に合致させた安定した状態に配設させることができ、よって、上記器具取付金具を上記縦杆又は上記横杆回りに不測に回動することなく安定した状態に上記縦杆又は上記横杆に取り付けることができる。
【００３２】
その上、上記理化学用枠体によれば、器具取付金具をその一方の挟持部を用いて上記縦杆又は上記横杆に取り付ける際、上記器具取付金具の他方の挟持部を確実に且つ自動的に一定方向に指向させることができ、よって、上記器具取付金具の他の挟持部に実験器具支持具を一定方向に確実に且つ正確に突出させ、この実験器具支持具に実験器具を支持させて簡単に且つ確実に実験装置を組み立てることができる。
【図面の簡単な説明】
【図１】  本発明の理化学用枠体の使用状態を示した斜視図である。
【図２】  理化学用枠体の縦杆と横杆との接続部分を示した拡大斜視図である。
【図３】  理化学用枠体の縦杆に器具取付金具を取り付けた状態を示した横断面図である。
【図４】  本発明の理化学用枠体の使用状態を示した斜視図である。
【図５】  理化学用枠体の横杆に器具取付金具を取り付けた状態を示した縦断面図である。
【図６】  従来の理化学用枠体の横杆に器具取付金具を取り付けて実験器具を配設した状態を示した斜視図である。
【図７】  従来の理化学用枠体の縦杆に器具取付金具を取り付けて実験器具を配設した状態を示した斜視図である。
【図８】  従来の理化学用枠体の横杆に器具取付金具を取り付けた状態を示した縦断面図である。
【図９】  従来の理化学用枠体の縦杆に器具取付金具を取り付けた状態を示した横断面図である。
【符号の説明】
１  理化学用枠体
11  縦杆
111 稜角
112 外周平面
12  横杆
Ａ  挟持金具
A1、A2  挟持部
A11 、A21 く字状挟持溝
A12 、A22 挟持用螺子棒
Ｂ  器具取付金具
B1、B2  挟持部
B11 、B21 く字状挟持溝
B12 、B22 挟持用螺子棒
Ｃ  実験器具支持具
C1  支持棒
C2  器具挟持部
【図１】
0004888926.tif 000002
【図２】
0004888926.tif 000003
【図３】
0004888926.tif 000004
【図４】
0004888926.tif 000005
【図５】
0004888926.tif 000006
【図６】
0004888926.tif 000007
【図７】
0004888926.tif 000008
【図８】
0004888926.tif 000009
【図９】
0004888926.tif 000010